(57)【要約】      （修正有）【課題】現在、ストローの本体の改善は成され、機能別のストローが多種類提案されていて、ストローを使用した飲み方は、冷たい飲料を速く多く飲む飲み方が一般的である。そこで、水やお湯を吸飲しながら口の中で新たな飲料へと変身させることを可能にしたストロー用具を提供する。【解決手段】ストロー用具１とストロー８を同時に口に含み飲料を吸飲すると、ストロー用具１が舌上面に乗りストロー８の密着度を低減させるので吸引力が低下し、流入する飲料が少なくなり熱い飲料をゆっくりと飲むことを可能にした。さらに、ストロー用具１に風味素材を収納し穴部を形成したストロー用具１とストロー８を同時に口に含み飲料を吸飲すると、口のなかで飲料と風味素材が混ざり合った新しい飲料が生まれ、新鮮なかおりや味が発現し、元の飲料とは異なった風味を創ったり、新な機能を持たせたりするなど、飲料を作り変えることを可能にした。【選択図】図１
2014014478.tif 000002
【特許請求の範囲】
【請求項１】
ストロー８に挿入して使用するストロー用具１であり、前記ストロー用具１は、口中部
５と首部６と中部３と止部４でなり、前記口中部５、前記首部６、前記中部３、前記止部
４の一体構造であり、前記口中部５は、使用者の口腔内の舌部上面や上下歯列の舌部側、
硬口蓋部に係り、前記首部６は、溝部７を形成し、前記ストロー８の飲料導出９に係り、
前記中部３は、前記ストロー８の内部に係り、前記止部４は、前記ストロー８の飲料導入
口１０に係ることを特徴とするストロー用具１。
【請求項２】
前記ストロー用具１の前記口中部５は、空隙部２を有し、前記空隙部２は風味素材１１
を収納し、前記空隙部２に口中部の仕切り壁１２を設け、前記口中部の仕切り壁１２に口
中部の仕切り壁の穴部１４を形成し、口中部の穴部１３を形成したこと特徴とする請求項
１に記載するストロー用具１。
【請求項３】
前記ストロー用具１は、独立した口中部６２と、首部、中部、止部の一体形６０からな
り、前記独立した口中部６２に形成した独立した口中部の結合部６３と、前記首部、前記
中部、前記止部の前記一体形６０に形成した首部の結合部６１と、結合したことを特徴と
する請求項１、請求項２のいずれかに記載するストロー用具１。
【請求項４】
前記ストロー用具１は、口中部、中部、止部の一体形７０と口中部、中部、止部の一体
形７１、独立した首部７２からなり、前記独立した首部７２に形成した独立した首部の貫
通口７３に、前記口中部、前記中部、前記止部の前記一体形７０と前記口中部、前記中部
前記止部の前記一体形７１を挿入して、合体したことを特徴とする請求項１、請求項２の
いずれかに記載するストロー用具１。
【請求項５】
前記ストロー用具１は、口中部８５から首部８６、中部８３、止部８４の内部に飲料流
路８０を設けたことを特徴とする請求項１、請求項２のいずれかに記載するストロー用具
１。
【請求項６】
前記ストロー用具１は、口中部９５と首部９６からなり、前記首部９６は前記口中部９
５から前記首部の内部に飲料流路９２を形成し、前記首部９６は、前記ストロー８の飲料
導出口９に固着したことを特徴とする、請求項１、請求項２のいずれかに記載する、スト
ロー用具１。
【発明の詳細な説明】
【技術分野】
【０００１】
本発明は、一般のストローを用いて吸飲する際に、ストローに挿入して使用する具材で
あって、ストローを用いた吸飲時の吸飲量を調整し、水を新たな飲料へ作り変え、飲料の
味覚や臭覚などの風味や機能を向上させるストロー用具に関する。
【背景技術】
【０００２】
ストローは、飲料を摂取することを目的として、当初麦わらが使用され、紙製から合成
樹脂へと素材が変わり、形状も直線の筒状から蛇腹加工の曲がるストローや入れ子式の伸
張するストロー、先端をスプンー状に開いたスプーンストローなどが使用されている。
また、吸引力が弱い細い口径のものや、具材入りの飲料用の太い口径などの工夫や改良
がなされている。
【０００３】
さらに、ストローの機能向上を目的として、次の様な提案がなされている。
第１の提案は、管体の端部を閉塞させその側面に開口部を形成したものや、管体の端部
に切込みを入れ短い管体を先端に接着したもの、管体の端部にボール状などのヘッド部を
固着したストローなどである。
このストローである管体に吸い込まれた液体が、口腔内で直接咽喉に向かって勢いよく
噴出されないので、飲料水等の液体が口腔内にとどまって広がり、味わいがよくなる。ま
た、気管支に液体を吸い込む可能性が低くなるため、幼児やお年寄りに好適にもちいられ
ることを可能にしたストローが提案なされている。（特開２００４−２４４０８）
この提案は、ストローなどの細い管体それぞれに、精密な加工を施すもので、大変な手
間が係り経済性に難があり、接着や固着などの作業は現実性に乏しく、接合面の剥離や部
材の離脱などの問題点も多く、飲料を飲むストローとしてのストローの改良でしかない。
【０００４】
第２の提案は、甘い飲み物を飲むストローにおいて、人の口内に収まるストロー部分の
吸い口を、甘味を強く感じる舌の前部やその近傍に向けて開口したので、従来のストロー
使用時より甘く感じて飲むことを可能にしたストローが提案されている。（特開２０００
−６０７１３号）  
この提案は、甘味を主に感じる舌先へ、ストローの開口部を向けて甘い飲料をさらに甘
く感じることが出来る用にしたものである。しかし、ストローの開口部が喉と逆方向を向
いた吸引方法は使用者の慣れに依存したもので、一般的ではない。
【０００５】
第３の提案は、所定の大きさや形状、有効成分を含んだ複数の層を有するノンパレイユ
ペレットを、管状体の各端や各端近くに形成したフィルタ間に保持し、キャリア液が通過
することで溶解し、有効成分がキャリア液中に放出される容器とした。この、ペレットの
溶解特性を改良し、キャリア液内の風味付け剤の濃度が比較的均一になるように性能を改
善したものが提案されている。（特開２００８−２８４３７８号）
この提案は、飲料の風味付けを目的としたペレットの改良であり、ペレットの収納スト
ローである。
【先行技術文献】
【特許文献】
【０００６】
【特許文献１】特開２００４−２４４０８号
【特許文献２】特開２０００−６０７１３号
【特許文献３】特開２００８−２８４３７８号
【非特許文献】
【０００７】
【非特許文献１】あじわいの認知科学  勁草書房
【発明の概要】
【発明が解決しようとする課題】
【０００８】
前記の提案は、ストローそのものを特殊な機能に特化したもので、使用する対称者が限
られ、使用法にも手間が係り、経済的にも負担であり、衛生面の不安もあるなど、そのた
めに、これまで広く採用され商業的な成功を収めることが出来ないままである。
そもそも、ストロー自体を改良したのでは、その機能は限定され、機能別のストロー
の種類が増え続けるだけであり、不経済である。
【０００９】
ストローを用いた吸飲は、気圧の差を応用するもので、ストローを吸う行為は直接スト
ロー内の空気を吸い出し、外部の大気圧よりもストロー内の気圧を低くするので飲料が口
腔内へ流入する。
つまり、ストローを舌上部と硬口蓋との間で密着させるので、飲料と舌上部や各粘膜部
との接触部分が極めて少なく、飲料が口腔内に広がらないために、飲料の滞在時間も短く、
喉で飲む連続した吸飲となり吸飲する量も多く、味とかおりを楽しむ余裕もない状態で、
満足度が低く、効率の悪い吸飲となっている。
まり、口腔内を密閉した状態での吸飲は、口腔内から鼻腔への空気の流れはほとんど無
く、においの無い吸飲となり、味覚と嗅覚とが一体となったおいしさの実感に乏しく、風
味を感じることが出来ない。この事実は、鼻をつまんで飲料を飲むと味がしないことで実
証されている。
また、ストローでの吸飲は、甘味を感じる舌先への飲料の接触がほとんどなく、糖分へ
の感度が低下することで過剰摂取を招き、肥満の原因となるなどの問題が指摘されている。
【００１０】
一般に、ストローを用いた飲料摂取の利点は、ストローの先端付近を吸うことで、容器
を持ったり傾けたり、口を直接容器につけることなく素早く飲料を摂取できることである。
一方、容器からの飲料摂取は、容器からのかおりを直接鼻から吸引し、さらに、少量を
吸う様に飲むので口腔全体で味を感じ口腔内に広がったかおり成分が鼻腔に抜けるので、
飲料の味とかおりの相互作用で、おいしさを感じることが出来る。また、呼吸との関係で
口腔内にとどまる飲料の量は一定であり、ゆっくりとした飲料の摂取となる。
【００１１】
本発明は、ストローを使用した吸飲時に、ゆっくりと少量を吸飲出来、熱い飲料も飲め、
飲料を口腔内で作り変え、味覚や嗅覚に対する感受性の低さを改善し、味やかおりなどの
風味を向上させ、糖分摂取の感度を高めることを可能とする、飲料の新しい飲み方を課題
とする。
【００１２】
本発明は、ストロー本体の改善ではなく、現在使用されているストローに挿入して使用
することで解決した。
本発明のストロー用具とストローを同時に口に含み飲料を吸飲すると、ストロー用具が
舌上面に乗りストローの密着度を低減し吸引力が低下するので、流入する飲料が少なく熱
い飲料をゆっくりと飲むことを可能にした。
さらに、ストロー用具に風味素材を収納したストロー用具とストローでの吸飲は、飲料
と風味素材が混ざり合い一体となり、新鮮なかおりや味が生まれ風味が増した飲料を創り
だすことを可能にした。
また、この風味素材を収納した部分を変えるだけで、水をのみながら口の中で機能性飲
料へと変化させ、使用者の好みに対応した飲料へと調整させることが出来る。
本発明は、ストローを使用する飲み方において、飲料の特徴を向上させ、飲料に新たな
味やかおりなどを添加することで、機能や風味を強化し、新規の飲料の飲み方を可能にし
たものであり、しかも安価で使い切りなので清潔なストロー用具を提供する。  
【課題を解決するための手段】
【００１３】
本発明のストロー用具１は、ストロー８に挿入して使用する前記ストロー用具１であり、
前記ストロー用具１は、口中部５と首部６と中部３と止部４でなり、前記口中部５、前記
首部６、前記中部３、前記止部４の一体構造であり、前記口中部５は、使用者の口腔内の
舌部上面や上下歯列の舌部側、硬口蓋部に係り、前記首部６は、溝部７を形成し、前記ス
トロー８の飲料導出口９に係り、前記中部３は、前記ストロー８内部に係り、前記止部４
は前記ストロー８の飲料導入口１０に係ることを特徴とする。  
【００１４】
本発明のストロー用具１は、前記ストロー用具１の前記口中部５は、空隙部２を有し、
前記空隙部２は風味素材１１を収納し、前記空隙部２に口中部の仕切り壁１２を設け、前
記口中部の仕切り壁１２に口中部の仕切り壁の穴部１４を形成し、口中部の穴部１３を形
成したこと特徴とする。
【００１５】
本発明のストロー用具１は、独立した口中部６２と、首部、中部、止部の一体形６０か
らなり、前記独立した口中部６２に形成した独立した口中部の結合部６３と、前記首部、
前記中部、前記止部の一体形６５に形成した首部の結合部６１と、結合したことを特徴と
する。
【００１６】
本発明のストロー用具１は、口中部、中部、止部の一体形７０と、口中部、中部、止部
の一体形７１、独立した首部７２からなり、前記独立した首部７２に形成した独立した首
部の貫通口７３に前記口中部、前記中部、前記止部の前記一体形７０と前記口中部、前記
中部、前記止部の前記一体形７１を挿入して、合体したことを特徴とする。
【００１７】
本発明のストロー用具１は、口中部８５から首部８６、中部８３、止部8４の内部に飲
料流路８０を設けたことを特徴とする。
【００１８】
本発明のストロー用具１は、口中部９５と首部９６からなり、前記首部９６は口中部９
５から首部の飲料流路９２を形成してなり、前記首部９６は前記ストロー８の前記飲料導
出口９に固着したことを特徴とする。
【発明の効果】
【００１９】
人間の口腔内の味覚を受容する味覚受容体は、味蕾を介して受容され、その分布は舌先
部に約２０％、舌横部に約２０％、舌奥部に約２６％、舌部以外に約３４％である。
また、味覚は、甘味、酸味、塩味、苦味、うま味の５味からなり、口の舌と硬口蓋、喉
の軟口蓋と喉頭蓋、食道上部内面の受容体に触れて感じる。また、味覚は、嗅覚や視覚、
記憶などの影響を受けた総合的な感覚であり、単独では存在しえない。また、甘味や酸味
は応答範囲が狭く、塩味や苦味は応答範囲が広く、高齢に成る程味覚に鈍感になる。
その他、味覚には辛味物質やアルコール、炭酸などの科学的刺激、温度や舌触りなどの
物理的刺激などが影響する。
また、嗅覚は、鼻からにおいを吸い込んでにおいを感じる経路と、口の中から喉の奥を
通って鼻腔で感じる２つの経路がある。
そもそも、使用者が鼻をつまんで飲料を飲むとその味がしないことで実証されていて、
味覚と嗅覚は切り離すことが出来ず、味覚単独ではなりたたない。
この味覚と臭覚には、多くの種類の味物質やにおい物質が関わっており、さらに、膨大
な数の味同士、におい同士の組み合わせやそれぞれの相互作用による膨大な数と種類の要
素によって構成されている。
これらの情報は、脳で統合され風味として認識されていて、意識に係らず身体的な応答
として瞬時になされ、その膨大な構成要素がさらに風味を複雑にしている。
つまり、味とにおいを同時に感じる体験を数多く体験することは重要である。
【００２０】
清涼飲料には、炭酸飲料、果実飲料、コーヒ飲料、茶類飲料、スポーツドリンク、ミネ
ラルウォ−ター、野菜飲料などがあり、使用者に清涼感を与え、喉の渇きをいやす。
また、スタミナアップ効果やダイェット効果、スキンケア効果や集中力アップ、さらに、
免疫力の向上などをめざした、アミノ酸サプリメントを含んだ飲料などが利用されている。
昨今、清涼飲料は、消費者の多様な嗜好に応じて次々と新製品が生み出され、年々その
生産量も拡大している。
当初、清涼飲料は疲労回復や栄養補給を目的として甘味を中心としていたが、現在はカ
ロリーが問題視され、健康への関心が高まり、さらに、各種運動に対応した飲料や体質改
善の飲料など健康や機能に配慮した飲料へと関心が変化している。
しかし、数々の品質改良にも関わらず、商品名が変わっても、味や香りに基本的な変化
は見られない。
現在、消費者の関心は、安全性から新鮮さ、さらに、本物のおいしさへと、その嗜好が
変化しているが、多種類の飲料を体験していても、まだ求める飲料に出会ってはいない。
また、使用者の嗜好は、繊細で多様化し、心を落ち着かせる新鮮な味とかおりを、何時
でも何処でも自分の嗜好に合致し、しかも手軽に楽しめる飲料を、清涼飲料にも求めている。
現在の清涼飲料の問題点は、１つの飲料を１つの容器に入れただけで、決定された味と
かおりであり、単純な機能とイメージを提供し続けていることである。
【００２１】
また、本格的な飲料であるコーヒや紅茶、ジュース類などは、喫茶店からコーヒーショ
ップへと業態が変化し、メニューも多様化され、オシャレな雰囲気やサーヴィスで居心地
の良さなどの新しい店つくりで、多数の業者が参入して発展している。例えば、コーヒと
ミルクのカフェオレからエスプレッソコーヒーとスチームミルクでカフェラッテなどの味
の変化や呼び名の新鮮さ、オーダー時の細かな指定による個人的な味の選択が出来るが、
決定された範囲内での選択であり、ある程度の満足感は得られている。
しかし、基本的には業者側からの限られた一方的な味の提案でしかなく、業者間の特徴
も曖昧で、利用者が求めているこだわりの多様性である、おもしろさやたのしさ、に対す
る十分な配慮がなされているとは言えない。
【００２２】
本発明のストロー用具は、ストローに挿入して使用することを特徴とするもので、スト
ロー用具の口中部を使用者の舌上部に乗せ、硬口蓋部との間に位置させ、ストローを上下
唇部で挟み先端部を使用者の舌先部に当接しながら使用することが出来るようにしたので、
舌部が口中部を包み込むように動作し、ストローが舌部と硬口蓋との間で密着出来ず、吸
引力が低下させるので、ゆっくりとした吸飲を可能にした。
【００２３】
また、本発明のストロー用具の口中部は、舌上部と硬口蓋部の間で使用することを特徴
するもので、口中部を確認しながら吸飲するようになるので、気圧を十分に下げられず、
口腔内や舌部が自律的に口中部を意識し、舌部全体が口中部を取り囲むように動作し、舌
部の周囲に空隙が広がり、空隙部分に飲料が行きわたり、舌上部や口腔粘膜と飲料との接
触部分が広がり、十分に味覚を感じることが出来るようにした。
さらに、舌上部に口中部が乗るので硬口蓋や軟口蓋部などの空隙が広くなり、飲料のか
おりが広がり漂う時間も長くなり、かおりが鼻腔部へぬけるようにしたので、味とかおり
が一体となったおいしさである風味を感じることが出来るようにした。
【００２４】
また、本発明のストロー用具の口中部は、口中部とストローの先端との間に若干の隙間
をつくりだした状態で吸飲する構造にしたので、口中部が舌上部に乗ることでストローの
先端が舌先部に当接しながらの使用になり、ストローを舌上部に乗せて使用しないので、
甘さの感知感覚部が集中している舌先部に飲料が当接し、甘さを十分に感じるので、使用
者の糖分の摂取を減少させることが出来るようにした。
【００２５】
また、本発明のストロー用具の口中部は、口中部に穴部を形成し口中部の内部に香料や
調味料などの風味素材を収納できる構造にしたので、吸飲した飲料と風味素材とが混ざり
合い、市販されている各種飲料のそれぞれの特徴を基にして、さらにその飲料特性を、効
果的に強調することが出来るようにした。
例えば、ミネラルウォーターを吸飲する場合に、口中部に機能性素材を収納すると、口
の中でスポーツドリンクを創ることが出来る。
また、使用する風味素材により、各種飲料の新鮮な味やかおりを強調出来るようにした
ので、味やかおりの本来の味を取り戻すことが出来るようになり風味が格段に改善された。
例えば、ハーブティを吸飲する場合に、口中部にハーブを収納していると、ハーブティ
が新鮮なハーブと一体となり、新鮮でかおり豊かなハーブティを、使用者の好みの味とか
おりを作り出すことが出来るようにした。
【００２６】
さらに、口中部の内部に仕切り壁を形成し、異なる性質の香料や調味料などを収納する
ことが出来るようにしたので、異なる風味素材を組み合わせて使用することで、同じ飲料
に対して新しい味と深いかおりを与えることを可能にしたので、新しい飲料に変化させる
ことが出来た。
この仕切り壁は、口中部の前後、左右、上下などに複数室設けることで、飲料の特徴を
最大限に発揮出来るようにした。また、仕切り壁に穴部を形成したので、異なる性質の香
料や調味料などの風味素材と飲料とが口中部で混ざり合うことが出来るようになり、微妙
で複雑な風味を作り出すことが出来るようにした。
また、飲料の製造過程での添加が困難な各種素材や、その特性を吸飲時に賞味すること
が出来た。例えば、ミルクを吸飲する場合に、口中部にチャイ用の香辛料を収納して吸飲
すると、新鮮なチャイが完成する。
【００２７】
また、本発明ストロー用具の口中部は、舌部のように複雑な形状をもった柔らかい器官
の運動が口中部を食物として認識したかのように動き、ともに下顎部も動くので唾液の分
泌も増量し、唾液と飲料とがまざり粘度が増すことで口腔内に留まる時間も長くなり、味
とかおりの相互作用の効果を高めることが出来るようにした。
【００２８】
また、本発明ストロー用具の首部は、口中部がストロー内へ落ち込むことを防止ことが
出来るようにし、さらに、口腔内の飲料がストロー内へ逆流を止める蓋としての機能も果
たすことが出来るようにした。この首部には凹状の溝を形成していて、舌先部の運動に刺
激を与えることが出来るようにした。
【００２９】
また、本発明ストロー用具の中部は、ストロー内の飲料流路に位置するもので、この中
部の形状を、使用者の吸引力の低下を補うために、ストロー内の体積を減らす形状にした
り、泡を内包した飲料にするために網状の中部に形成するなど、その形状が吸飲時の飲料
の性能を向上させることが出来るようにした。
【００３０】
次に、本発明のストロー用具は、口中部と首部、中部、止部の２つの部材に構成し、首
部へ口中部を結合することが出来るようにしたので、酸化しやすい風味素材やにおいの強
い風味素材、湿気を嫌う風味素材などの各種特性を保持しやすくするために、口中部を予
め分離し風味素材を収納したもので、使用時に装着することで風味素材の各種特性を生か
すことを可能とした。
【００３１】
さらに、本発明のストロー用具は、首部と口中部、中部、止部までを２つの部材の分割
構造にし、首部の空隙に止部から挿入して使用するように構成したので、使用者の好みの
風味素材を選択し自ら収納して使用出来るようにした。
また、使用者は吸飲の直前に組立て使用することが出来るようになり、酸化しやすい風
味素材や臭いのきつい風味素材、湿気を嫌う風味素材などの各種特性の保存状態さらに強
化することを可能にした。また、個人的な嗜好に合わせて自作の風味素材を使用出来るよ
うにした。
【００３２】
また、本発明のストロー用具は、口中部、首部、中部、止部の内部に飲料流路を形成し
たので、使用者の吸飲時に口中部に直接飲料が侵入することが出来たので風味素材の素早
い効果を高めることが出来た。
【００３３】
また、本発明のストロー用具は、口中部と首部で構成し、ストローの飲料導出口へ首部
を基より着させたので、口中部と首部がストローと一体となり、その使用範囲が拡大した。
【図面の簡単な説明】
【００３４】
【図１】図１は、本発明の実施例１を示し、本発明のストロー用具をストローに挿入    した中略正面図である。（実施例１）
【図２】図２は、図１のＸ−Ｘ線上の断面図である。
【図３】図３は、口中部の形状の例を示す正面図である。
【図４】図４は、首部の形状の例を示す正面図である。
【図５】図５は、中部の形状の例を示す正面図である。
【図６】図６は、本発明の実施例２を示す中略正面図である。
【図７】図７は、本発明の実施例３を示す中略正面図である。
【図８】図８は、本発明の実施例４を示す中略正面図である。
【図９】図９は、本発明の実施例５を示す中略正面図である。
【発明を実施するための形態】
【００３５】
本発明の好適な実施例を、図１、図２、図３、図４、図５、図６、図７、図８、図９を
基に説明するが、本実施例に特定も限定もするものではなく、本発明の技術的思想を損な
うものでなければ良い。
【００３６】
本発明のストロー用具１は、使用者の口腔内で使用するものであり、特にその清潔性の
保持は当然であり、使用法は使い切りを前提とし、その経済性をもとにした素材が選択さ
れ使用されその素材は、合成樹脂を好適とするものであるが、特定も限定もするものでは
ない。
また、使用する風味素材としては、甘さを加える甘味料や飴、旨味を与えるうま味調味
料、辛さを与えかおりをつける香辛料やハーブ、各種機能を有するサプリメントや機能性
補助食品などが使用されるが、特定も限定もするものではない。
【実施例１】
【００３７】
本発明の実施例１を図１、図２、図３、図４、図５を用いて説明する。
また、図１は、本発明のストロー用具１をストロー８に挿入した例を示す中略正面図で
ある。
また、図２は、図１のＸ−Ｘ線上の断面図である。
また、図３は、図１の口中部５の形状の例を示す正面図である。
また、図４は、図１の首部３の形状の例を示す正面図である。
また、図５は、図１の中部３の形状の例を示す正面図である。
【００３８】
本発明の実施例１を図１、図２に示し説明する。
本発明のストロー用具１は、口中部５、首部６、中部３、止部４で構成し、口中部５、
首部６、中部３、止部４を一体に形成し、ストロー８に挿入し止部４でストロー８に保持
した例を示したが、特定も限定もするものではない。
【００３９】
本発明の口中部５の形状は、楕円形のボール状のものを示したが特定も限定もしない。
また、口中部５は、使用者の舌上部へ乗せ、舌部と硬口蓋部の間に位置させ、首部６が
舌先部に当接出来るような使用が可能である形状と大きさであればよい。
また、図３に口中部５の他の形状の例を示した。
また、本実施例１では、口中部５の内部に空隙部２を形成し、口中部５の仕切り壁１２
で２室に構成し、２種類の風味素材１１をそれぞれに収納したものを示したが、仕切り壁
１２や風味素材１１の数や種類など特定も限定もしない。
また、口中部の仕切り壁１２は、仕切り壁の穴部１８を形成したものを示したが、形成
してもよくしなくても良く特定も限定もしない。
また、口中部５に穴部１７を多数形成したものを示したが、穴部１７の形状や数、大き
さなど特定も限定もしない。
また、口中部５の空隙部２や穴部１７などは形成しなくてもよく特定も限定もしない。
また、空隙部２の内部に液体やゲルなどの充填剤を収納してもよく特定も限定もしない。
また、この口中部５は、使用者の舌上部で動かしながら使用するもので、形状や硬度な
ど使用者の好みに合致することが好適であることは当然であるが、大きさや形状、硬さや
重さなど特定も限定もしない。
また、口中部５は、使用者の舌部と硬口蓋部の間に位置させ動かしながら使用するので、
口中部５の形状と使用者の硬口蓋部の形状とが、一致しない形状を使用することは当然で
ある。
また、口中部５は、使用者の左右の歯列部に当接しない幅に形成することは当然であり、
長さや厚みなども特定も限定もしない。
また、口中部５は、使用者の口腔内に係り、その形状は曲面を好適とし、口腔内部の舌
部や歯部、各組織が排除しない形状や体積、素材であることは当然である。
さらに、口中部５は、口中部の穴部１７を形成したので、ストロー８から吸引した飲料
が口中部の穴部１７から流入し風味素材１１と混ざり合、風味をかもしだすことが出来る
ようにしたが、口中部の穴部１７の形状や数など特定も限定もしない。
また口中部５は、使用者の舌上面部と硬口蓋部に係るが、特に舌上面部に当接し、吸飲
した飲料と空隙部２の内部の風味素材１１とを混合させ、使用者の嗜好に合致した飲料に
変化させるもので、舌上面部で動作しやすい形状や大きさ、素材が選択され使用されるの
は当然である。
【００４０】
本発明の首部６は、ストローの飲料導出口９に係り、ストロー８の飲料導出口９に落ち
込むことを防止する形状や口径を有することは当然である。この首部６の形状は、円錐形
が好適であるが特定も限定もしない。
また、首部６は、使用者の唇部と舌部に係るが、主に舌部の先部が首部６に当接し首部
６を動かすことで飲料の吸飲量を調節するはたらきを担う。
また、首部６の形状の例を図４に示した。
【００４１】
本発明の溝部７は、首部６に形成した。この溝部７は、口中部５や首部６からの飲料の
流れを助けたり、ストロー８の飲料導出口９との密着を防いだり、特に使用者の舌先部に
関係し舌部が溝部７を意識して遊ぶように運動する。
【００４２】
本発明の中部３は、首部６と止部４に係り、首部６と止部４をつなぎ、飲料流路を制
御する働きをするもので、細い円柱状のものを示したが特定も限定もするものではない。
また、本発明のストロー用具１を好適に使用するためには、口中部５、首部６、中部３、
止部４の長さ＞ストロー８の長さが求められる。この長さの差は、ストロー８の内部をス
トロー用具１が若干動作することが出来るので、使用者の舌上部で口中部５の動作を制御
することが出来る。  
また、中部３の形状の例を図５に示した。
【００４３】
本発明の止部４は、ストロー８の飲料導出入口１０に係り、ストロー用具１のストロー
８からの離脱を防止する。この止部４は、ストロー８へ挿入したり引き抜いたりすること
が可能である、柔軟な素材と形状であるのは当然である。
また、止部４は、一本の浅いＶ字状のものを示したが、数や形状など特定も限定もする
ものではない。
【００４４】
図２は、図１のＸ−Ｘ線上の断面図である。
本実施例１では、口中部の穴部１７を多数形成したものを示したが、口中部の穴部１７
の形状や数など特定も限定もしない。
また、口中部５の内部に空隙部２を形成し、口中部５の仕切り壁１２で２室構造に形成
したものを示し、それぞれに風味素材１１を収納したものを示したが、口中部５の仕切り
壁１２の数など特定も限定もするものではなく、また、仕切り壁１２を設けなくても良い。
また、仕切り壁１２に仕切り壁の穴部１８を形成したものを示したが、仕切り壁の穴部
１８の数や形状などは特定も限定もするものではなく、形成しても良くしなくても良く特
定も限定もしない。
また、口中部５の素材は、口中部５が主に使用者の舌上面部で使用するものであり、舌
上面部や舌先部、硬口蓋部に対応した好適な形状や風味部材１１に対応した質感を、選択
することは当然である。本実施例に特定も限定もするものではない。  
また、口中部５の機能は、使用者が飲料を吸飲する際に、飲料の持つ特性を拡大させ、
さらに、新鮮な味や香りなどの効果を与えるものである。
【００４５】
図３は、本発明の口中部５の形状や機能の例を示し説明する正面図である。また、口中
部５に収納する風味素材１１の例を示し共に説明する。
図３の口中部３１は、球形の形状で空隙部２を形成し、腹数の細長い穴部３５を形成し
た構造の正面図である。この口中部３１の空隙部２に風味素材１１としてブラウンシュガ
ーを収納し、細長い穴部３５から流入した飲料と一体となり、甘味を強調出来るようにし
た例を示した。
また、図３の口中部３２は、袋型の形状で空隙部２を形成し、網状の穴部３６を形成し
た構造の正面図である。また、口中部３２は、不織布や紙などの素材を使用して袋状に形
成してもよく特定も限定もしない。この口中部３２の空隙部２に風味素材１１として紅茶
とベルガモットを収納し、網状の穴部３６から流入した飲料と一体となって、新鮮なアー
ルグレイの風味を再現した例を示したが特定も限定もしない。また、網状の穴部３６を形
成してもしなくても良い。
また、図３の口中部３３は、円盤型の形状で、その周りを口中部の飴部３７で覆った構
造に形成した正面図である。この口中部３３の風味素材１１として新鮮なミント風味の飴
を使用し、さわやかな風味の飲料を再現した例を示した。
また、図３の口中部３４は、凸凹状の楕円型の形状に構造の正面図である。この口中部
３４の空隙部２にゲル状素材を収納したので、使用者の舌部が凸凹状で反発する口中部３
４で遊ぶことが出来るようになり楽しい吸飲を可能とした。
本実施例は、口中部５の形状と機能を表現するごく一部にすぎず、本実施例に特定も限
定もするものではない。本発明の技術的思想を損なわなければ良い。  
【００４６】
図４は、本発明の首部６の形状や機能の例を示し説明する正面図である。
図４は、本発明の首部６の形状の例を首部４１、首部４２、首部４３を用いて説明する。
図４の首部４１は、三角錐状の形状の例を示した。また、図４の首部４２は、螺旋状の
形状の例を示した。また、図４の首部４３は、長い溝を有する長い形状の例を示した。  
本発明の首部６は、口中部５と中部３の間に形成し、口中部５がストロー８の内部に落
ち込むことを防止するために、ストロー８の内径より大きいのは当然であり、その最小口
径は予想される。また、首部６の形状は、中部３の形状との関係で逆円錐状の形状が好適
であるが特定も限定もしない。また、長さなども特定も限定もしない。
また、首部６３は溝部７を形成し、口中部５の飲料をストロー８内へ導く働きや、使用
者の舌先部に対応するように働く機能と形状を兼ね揃えた構造を有することは当然である。
また、溝部７の数や溝の深さなど特定も限定もしない。
また、使用者が本発明のストロー用具を使用する際に、首部４１や首部４２を用いて使
用者の舌先部が上下、左右、回転などの動作をしやすくし、遊ぶなどの微妙な使用感を好
適に出来る働きを有する。
本実施例は、首部６の形状と機能を表現するごく一部にすぎず、本実施例に特定も限も
するものではない。本発明の技術的思想を損なわなければ良い。
【００４７】
一般に、ストローを使用しての吸飲は、冷たい飲料に限られている。ストローでの吸飲
は、気圧の応用であり、ストローの口径が大きくなると吸飲量は増えるが、吸引力も強く
なり微妙な吸引調整が強いられる。このために熱い飲料の吸引には問題がある。また、小
口径のストローでは、全く風味を味わえない。
また、飲料によっては炭酸の量が多く刺激を減らしたい、少し泡状にしたい、吸引力を
補いたいなどの、同一の飲料に対して使用者の好みも多様である。
【００４８】
図５は、本発明の中部３の形状や機能の例を示し説明する正面図である。
図５の中部５１は、中太形に形成した形状を示し、中部５の中央部の口径を端部より太
くすることで、吸引力の低下した使用者の吸飲の補助ができるようにした。この口径や形
状などを特定も限定もしない。
また、図５の中部５２は、中部５を凸凹状に形成した形状を示し、吸飲時の炭酸の刺激を、緩和することが出来るようにした。この凸凹の形状や数など特定も限定もしない。
また、図５の中部５３は、中部３の全体を網状に形成した形状を示し、吸飲時に細かい
泡を発生させるこが出来るようにした。この網状の網目の大きさや繊維の太さや間隔など
特定も限定もしない。
また、図５の中部５４は、中部３を螺旋状に形成し、吸飲時の飲料の流れる距離を長く
したので、熱い飲料を冷ますことが出来た。この螺旋の形状や幅、間隔など特定も限定も
しない。
本実施例は、中部３の形状と機能を表現するごく一部例にすぎず、本実施例に特定も限
もするものではない。本発明の技術的思想を損なわなければ良い。
【実施例２】
【００４９】
本実施例２は、本発明のストロー用具１の異なる使用形態の例を示すものである。
本発明のストロー用具１は、図６に示したように、口中部５を単独に形成した独立した
口中部６０と、首部６３、中部６２、止部６４を一体成形した、首部、中部、止部の一
体形６２とで構成する使用形態である。
本実施例２は、独立した口中部６０に形成した独立した口中部の結合部６１と、首部、
中部、止部の一体形６５に形成した首部の結合部６６と結合させて完成し使用するもの
である。
また、独立した口中部の結合部６１と首部の結合部６６の結合形態を示したが、結合部
の形状や結合方法などは特定も限定もしない。
この使用形態は、風味素材１１の持つ繊細な香り成分の放出物や酸化などによる劣化防
止のために、密封した保存が求められるものに適応した使用の形態である。
また、独立した口中部６０だけの交換による使用形態は、特に保存性を求められる風味
素材１１に適用され、また、便利性の向上によりその経済性も改善される。
本実施例２は、本発明のストロー用具１の形状と機能を表現するごく一部の例にすぎず
本実施例に特定も限定もするものではない。本発明の技術的思想を損なわなければ良い。
【実施例３】
【００５０】
本実施例３は、本発明のストロー用具１の異なる使用形態の例を示すものである。
本発明のストロー用具１は、図７に示したように、首部６を単独に形成した独立した首
部７２と、口中部５から中部３、止部４までの部材を一体成形した口中部、中部、止部の
一体形７０と口中部、中部、止部の一体形７１を結合させる使用形態である。
本実施例３は、独立した首部７２に形成した独立した首部の貫通口７３へた口中部、中
部、止部の一体形７０と口中部、中部、止部の一体形７１挿入して使用するものである。
この使用形態は、簡易で、使用者が自ら風味素材１１を選択使用出来るようにした。
また、口中部、中部、止部の一体形７０と口中部、中部、止部の一体形７の止部は、ストロー８への挿入時にはおり曲がりやすい構造と素材であり、ストロー８の飲料導入口１０に係りやすい構造と素材であることは当然である。
本実施例３は、本発明のストロー用具１の形状と機能を表現するごく一部の例にすぎず、本実施例に特定も限定もするものではない。本発明の技術的思想を損なわなければ良い。
【実施例４】
【００５１】
本実施例４は、本発明のストロー用具１の異なる使用形態の例を示すものである。
本発明のストロー用具１は、図８に示したように口中部８５から首部８６、中部８３、
止部８４までの内部に飲料流路８０を形成し使用するものである。
この使用形態は、口中部８５に収納した風味素材１１に、飲料を口中部８５の内部へ直
接、当接させることが出来るようにしたもので、特にかおりを楽しむ風味素材１１を好適
とする使用形態である。
本実施例４は、本発明のストロー用具１の形状と機能を表現するごく一部例にすぎず、
本実施例に特定も限もするものではない。本発明の技術的思想を損なわなければ良い。
【実施例５】
【００５２】
本実施例５は、本発明のストロー用具１の異なる使用形態の例を示すものである。
本発明のストロー用具１は、図９に示したように口中部９５と首部９６からなり、首部
９６をストロー８の飲料導出口９に固着して使用する使用形態である。
この首部９６は、首部の貫通口９２を形成し口中部９５の空隙部２へ飲料を吸飲し風味
素材１１へ当接させるものである。さらに、首部９６から吸飲した飲料と混ざることで吸
飲する飲料の量の増大を図る働きをする。
本実施例５の使用形態は、本発明のストロー用具１の使用範囲を拡大するものであり、
ストロー８と一体化しての使用は簡易性や清潔性を考慮したもので、口中部９５内の風味
素材１１の特徴を簡易に使用することに配慮した使用を可能とした。
この使用形態では、飲料の吸飲を容易にするために、首部９６の溝部９７の溝の太さや
深さ、形や数などを考慮し対応することは当然であり、よく低も限定もしない。
また、首部９６を柔軟な素材を選択し使用することで、首部９６が動作しやすく出来る
ので、飲料の吸飲を容易にする。
本実施例５は、本発明のストロー用具１の形状と機能を表現するごく一部の例にすぎず、本実施例に特定も限もするものではない。本発明の技術的思想を損なわなければ良い。
【産業上の利用可能性】
【００５３】
今日、ボトリングされた清涼飲料水は、商品名が変わっても味はたいして違わないなど
の問題点を抱えている。また、コーヒーショップでは、商品の構成に新規性は見られない。
元来、器飲みは、唇を器に付けて熱さやかおりを確かめながらゆっくりと飲む飲み方であり、ストロー飲みは、冷たい飲料を速く多くのむのみ方である。
本発明のストロー用具は、ストローを用いて熱い飲料をゆっくりと飲むことを実現したもので、飲料の風味を向上させたり新しい風味を重ねたり、さらに、水やお湯を吸飲しながら、口の中でスポーツ飲料やかおり豊かなお茶を創りだすなど、全く新しい飲料の飲み方を提案するものである。
しかも、単純な構造は安価で使い捨ての使用が前提であり、衛生的で便利性に優れていて、新規性に富む全く新しいジャンルを創りだした。
【符号の説明】
【００５４】
１  ストロー用具
２  空隙部
３  中部
４  止部
５  口中部
６  首部
７  溝部
８  ストロー
９  飲料導出口
１０  飲料導入口
１１  風味素材
１１ａ  風味素材
１２  口中部の仕切り壁
１３  口中部の穴部
１４  口中部の仕切り壁の穴部
３１  球形の口中部
３２  袋形の口中部
３３  円盤形の口中部
３４  凸凹形の口中部
３５  細長い穴部
３６  網状の穴部
３７  飴部
４１  三角推形の首部
４２  螺旋形の首部
４３  長い溝の首部
５１  中太形の中部
５２  凸凹形の中部
５３  網形の中部
５４  螺旋形の中部
６０  首部、中部、止部の一体形
６１  首部の結合部
６２  独立した口中部
６３  独立した口中部の結合部
７０  口中部、中部、止部の一体形
７１  口中部、中部、止部の一体形
７２  独立した首部
７３  独立した首部の貫通口
８０  飲料流路
８３  中部
８４  止部
８５  口中部
８６  首部
９２  首部の飲料流路
９５  口中部
９６  首部
９７  溝部  
【図１】
2014014478.tif 000003
【図２】
2014014478.tif 000004
【図３】
2014014478.tif 000005
【図４】
2014014478.tif 000006
【図５】
2014014478.tif 000007
【図６】
2014014478.tif 000008
【図７】
2014014478.tif 000009
【図８】
2014014478.tif 000010
【図９】
2014014478.tif 000011